(57)【要約】【課題】自然人と不動産業者と金融業者のＩＴ上でのネットワーク上、コンテンツとなるデータ処理サーバーの管理にかなりの技術と天文学的数学演算計算が必要となる。マクロの段階で、自然人の意志を集計する過程において、コンピューター上、天文学演算処理においてのトランザクション障害防止システムの形成が必要になってくる。【解決手段】社会トランスフォーメーション不動産取引価格コントロール後、自然人への収入送金センターで、演算処理された余郵金が、定期的、順次自然人クライアントへ送金されていく。演算処理された余じょう金に連動して、インフレターゲットコントロールする。たとえば、年れい別、地域別、国別、等、センタープロジェクトチームにて、決定されていく。【選択図】図１
2013178784.tif 000002
【特許請求の範囲】
【請求項１】
ＩＴ上仮想空間において、その国の自然人の意志の集計結果コントロールする為に、以下の事業を不動産業者が行うシステムとしての社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生プログラムとシステムセンターに連動する不動産金融商品販売取引システム、プログラム  処理装置  ネットワーク、管理、トランザクションの公開
【請求項２】
請求項１を特徴とする不動産金融商品販売取引システムは、その国の基本統治（政府）を経済的に安定させ、平和をゆるぎないものとし、すべての自然人の所有するマネーを段階的に拡大所有させるシステムを形成する為に、又は、平等化する為に、
前記センターは、余剰金を含む本システムから総収入の少なくとも５０％を保有するものとする。
前記５０％のセンター保有マネーは、所有権としてその国の政府に電子マネーとして送金されるシステムとプログラム
【請求項３】
2013178784.tif 000005
2013178784.tif 000006
2013178784.tif 000007
2013178784.tif 000008
2013178784.tif 000009
2013178784.tif 000010
2013178784.tif 000011
2013178784.tif 000012
2013178784.tif 000013
2013178784.tif 000014
2013178784.tif 000015
2013178784.tif 000016
2013178784.tif 000017
2013178784.tif 000018
2013178784.tif 000019
2013178784.tif 000020
2013178784.tif 000021
【発明の詳細な説明】
2013178784.tif 000003
【技術分野】
【０００１】本発明は、自然人収入経済拡大する為不動産の全取引マネー分配受取型マネー量と金融商品の全取引価格コントロールするプログラム及びシステムと連動する自然人（自然人の所持するクライアントを含む）の電子口座収入を拡大する為に基本政府がマネー供給プログラムを行い、前記基本政府自らが政府経済破綻を救済し赤字国債を解消する為に前記システムに連動する住宅等含むすべての不動産取引、管理、設計の商品の種々の変動条件と補正ルール（不動産商品価格拡大プログラム  システムにおける固定マネー、そのレートと変動マネー、そのレート等から産生される余剰金回転率など）から出てくる、自然人経済収入経済拡大改革の不動産の全取引マネー供給プログラム及びシステムと連動する自然人の収入拡大及びマネー供給プログラム及びシステム連動不動産取引金融資プログラムとシステム連動不動産価格コントロール余剰金産生プログラムとシステム。そのプログラムとシステムの商品の販売システムに関し、特に住宅購入等含む不動産取引（売買、賃貸、取引、保障、契約、管理  設計  マンション  アパート  他  スーパー、ホテル、住宅、）他  動産のトラック、キャンピングカー等含むすべての動産取引との不動産、動産  金融商品へのとの金融連動余剰金産生需要供給を喚起する為に、
基本政府財政経済破綻救済マネー循環プール供給国債発行コントロールその国債含む公債の発行解消にかかる自然人収入拡大経済改革不動産  動産の全取引  金融の全取引  不動産  動産全商品の全取引  金融商品の全取引  等  マネー供給プログラム及びそのシステムと連動する自然人の収入拡大及びマネー供給プログラム及びそのシステムと連動不動産動産取引金融資プログラムとそのシステムに連動する不動産価格コントロール余剰金産生資金制を導入したすべての不動産と動産と金融商品の販売プログラム、システムに関する。
前記プログラム  システムに連動する（している、）
基本政府が基本政府の経済を安定させ、すべての自然人が基本政府を助ける経済を設計プログラム  システム化されたネットワーク上で  協力しあう為にすべての団体を含み、政府の経済破綻を救済する為に旅行商品に連動するすべてのマネー分配受取型住宅購入等含むマネー分配受取型不動産取引と政府の経済破綻を救済する為に旅行商品に連動しないすべてのマネー分配受取型住宅購入等含むマネー分配受取型不動産動産取引との金融金融商品価格コントロール連動による余剰金産生システムに連動するＩＴ上仮想空間において
その国の自然人の意志の集計結果コントロールによる自然人収入経済拡大改革に連動する不動産  動産の全取引マネー分配受取型マネー量と金融商品の全取引価格コントロールするプログラム及びシステム連動全不動産取引金の融資コントロールプログラムとシステム連動する全不動産価格動産価格コントロール余剰金産生プログラムシステムセンターに連動する全不動産動産金融商品販売他全取引システム  プログラム  処理装置  ネットワーク  管理
基本政府による価格コントロール指令プログラムシステム  基本政府による全自然人への送金コントロール指令プログラムシステム
に関する。
【背景技術】
【０００２】自然人（人々）は、常に余剰金の出る人生生活をゆめみる。
しかし、ほどんどの人々である自然人は、余剰金が出たとしてもほんのわずがのマネーである。【０００３】一方、現在の社会経済においても、自然人の余剰金産生収入システム技術構成にまでは、いたっていない。
又、余剰金産生どころか、貧富の差がますます拡大する可能性の方が実情である。
【発明が解決しようとする課題】
【０００４】本発明は上記の点にかんがみてなされたもので、自然人にとって満足する人生生活収入を与えることができる社会経済環境を作り出し、もって不動産業者、金融業者、両方の発展に寄与できるような、社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生プログラムとシステム、そして、それらを融合させた販売プログラムシステムを構築することを目的とする。
【課題を解決するための手段】
【０００５】上記課題を解決するため、本発明においては、不動産業者と金融業者が加盟する社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生プログラムとシステム管理センターを構或し、不動産業者の紹介によって前記の社会トランスフォーメーション経済改革不動産の全取引マネーサプライ平等プログラム及びシステムと連動する自然人の収入拡大及び平等マネーサプライ供給プログラム及びシステム連動不動産取引金融資対象不動産商品を購入した場合には、その不動産を購入した自然人に対して
社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生費用に応じた
社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生改革資金調整金を支払う
社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生調整改革資金制を導入した。
具体的には、不動産業者と金融業者に関する
社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生資金制を導入したすべての不動産と金融商品の販売プログラム、システムに関する情報を記憶する社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生資金制を導入したすべての不動産と金融商品の販売プログラム、システム情報記憶手段と、前記不動産業者と金融業者が加盟する社会トランスフォーメーション経済改革不動産の全取引マネーサプライ平等プログラム及びシステムに連動する自然人の収入拡大及び平等マネーサプライ供給プログラム及びシステム連動不動産取引金融資プログラムとシステム連動不動産価格コントロール余剰金産生プログラムとシステム管理センター及び、不動産業者から紹介された、
社会トランスフォーメーション経済改革不動産の全取引マネーサプライ平等プログラム平等プログラム及びシステムと連動する自然人の収入拡大及び平等マネーサプライ供給プログラム及びシステム連動不動産取引金融資対象不動産商品を購入取引した自然人、及び、すべての不動産取引を行った自然人の要求に応じて、
社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生費用に応じた、
社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生改革資金調整金を支払う
社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生調整改革資金を計算する計算手段と、
前記
社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生費用に応じた、社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生改革資金調整金を支払う
社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生調整改革資金費用に応じて
前記不動産業者と金融業者ごとに
社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産取引金融責プログラムとシステム連動不動産価格コントロール余剰金産生調整改革資金を計算する社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産取引金融資プログラムとシステム連動不動産価格コントロール余剰金産生調整改革資金計算手段とによって、
社会トランスフォーメーション経済改革不動産の全取引マネーサプライ平等プログラム及びシステムと連動する自然人の収入拡大及び平等マネーサプライ供給プログラム及びシステムの住宅等含むすべての不動産取引、管理、設計、保障、売買、賃貸の結合、又、契約（すべての契約方法）の商品の種々の変動条件と補正ルール（不動産商品価格拡大プログラム、システムにおける固定マネー、そのレートと変動マネー、そのレート等から産生される余剰金回転率など）から出てくる、社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生プログラムとシステムの商品の販売システムに関し、特に住宅購入等含む不動産取引（売買、賃貸、取引、保障、契約、管理、
2013178784.tif 000004
融連動余剰金産生需要を喚起する為に
社会トランスフォーメーション経済改革不動産の全取引マネーサプライ平等プログラム及びシステムと連動する自然人の収入拡大及び平等マネーサプライ供給プログラム及びシステムと連動不動産取引金融資プログラムとシステム連動不動産価格コントロール余剰金産生資金制を導入したすべての不動産と金融商品の販売プログラム、システムに関する、商品の種々の変動条件と補正ルール（回転率などなど）から出てくる余剰金による自然人への送金循環プログラム不動産、金融商品販売システムを構成した。
【０００６】不動産業者から、前記商品を購入した自然人は、前記プログラム、システムから産生される余剰金を、センター（社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生プログラムとシステムセンターに連動する不動産金融商品販売取引システム）の紹介にて、それに応じた前記改革コントロール資金を、収入として得るので、前記送金循環プログラムの需要が増大し、前記システム、プログラムの販売取引の好循環が形成される。
【発明の効果】
【０００７】自然人の収入が拡大することにより、社会全体の経済が安定的にコントロールされていく。
【図面の簡単な説明】
【０００８】
【図１】・社会トランスフォーメーション不動産、取引マネーサプライ拡大方式自然人への収入供給（送金）センター構成図
【図２】・社会トランスフォーメーション不動産取引マネーサプライ拡大方式自然人へのセンターからのＩＴ送金図
【発明を実施する為の形態】
【０００９】請求項の全内容と図１、図２を実施形態とする。自然人への送金は、すべての数学的管理表と回転率データーより演算計算され、順次送金される。
【産業上の利用可能性】
【００１０】自然人の収入を増大させ、経済不安を解消できる。
【符号の説明】
【００１１】８、  １、２、３、４、５、６、７  管理センター内部署
９、  自然人クライアント
１０、  不動産業者
１１、  金融業者
１ａ、１ｂ、１ｃ、１ｄ、１ｅ、１Ｆ、１Ｇ  クライアント。
【図１】
2013178784.tif 000022
【図２】
2013178784.tif 000023
【手続補正書】
【提出日】平成25年5月3日(2013.5.3)
【手続補正２】
【補正対象書類名】特許請求の範囲
【補正対象項目名】全文
【補正方法】変更
【補正の内容】
【特許請求の範囲】
【請求項１】
ＩＴ上仮想空間において、その国の自然人の意志の集計結果コントロールする為に、以下の事業を不動産業者が行うシステムとしての社会トランスフォーメーション経済改革不動産の全取引マネーサプライ平等プログラム及びシステムと連動する自然人の収入拡大及び平等マネーサプライ供給プログラム及びシステム連動不動産取引金融資プログラムとシステム連動不動産価格コントロール余剰金産生プログラムとシステムセンターに連動する不動産金融商品販売取引システム、プログラム  処理装置  ネットワーク、管理、トランザクションの公開
【請求項２】
請求項１を特徴とする不動産金融商品販売取引システムは、その国の基本統治（政府）を経済的に安定させ、平和をゆるぎないものとし、すべての自然人の所有するマネーを段階的に拡大所有させるシステムを形成する為に、又は、平等化する為に、
前記センターは、余剰金を含む本システムから総収入の少なくとも５０％を保有するものとする。
前記５０％のセンター保有マネーは、所有権としてその国の政府に電子マネーとして送金されるシステムとプログラム
【請求項３】
請求項１と請求項２に連動する国民ふきゅうの為の小説「愛聖院」のプログラム文
自然人の給与と収入を２倍以上に増額するために自然人と旅行業者によるインフレターゲットコントロール経済成長プログラム作戦
前記小説「愛聖院」西歴２０００年１月１日原作より転記の第１刷発行著作権創造著作物著作権利
2013178784.tif 000024
前記著作権にかかるすべての権利システム  プログラム
前記経済システムを実現する為のプログラムシステムと著作権